(57)【要約】【課題】仕上げ精度を向上することができる装身具を提供すること。【解決手段】ペンダント（１）は、宝石（４）を固定する石座（３）と、石座（３）を揺動可能に吊り下げる軸状部（５１）を有する連結芯（５）と、連結芯を保持する台座（２）とを備えている。台座（２）は、本体部（２０）と、本体部（２０）に連なって本体部（２０）との間に隙間（Ｓ）を形成する保持部（２２）とを備えている。保持部（２２）には第１受容部（２３）、本体部（２０）には第２受容部（２４）が形成され、第１及び第２受容部（２３，２４）は連結芯（５）を受容する。軸状部（５１）の軸線方向は直線方向に延在している。第１及び第２受容部（２３，２４）に対し、軸状部（５１）の軸線方向に連結芯（５）をそれぞれ挿入することで連結芯（５）が保持される。【選択図】図１
2015119896.tif 000002
【特許請求の範囲】
【請求項１】
装飾体を固定する石座と、この石座を揺動可能に吊り下げる軸状部を有する連結芯と、この連結芯を保持する台座と、を備えた装身具であって、
前記台座は、本体部と、この本体部に連なって本体部との間に隙間を形成する保持部と、を備え、これら保持部及び本体部には、前記連結芯を受容する受容部がそれぞれ形成され、
前記軸状部の軸線方向は直線方向に延在し、
前記各受容部に対し、前記軸状部の軸線方向に前記連結芯をそれぞれ挿入することで、当該連結芯が保持されることを特徴とする装身具。
【請求項２】
前記石座は、円筒面状又は円錐面状の内周面を有する連結環を備え、
前記軸状部は、前記連結環を貫通するとともに、前記連結環の内周に線接触することで、前記本体部から前記装飾体が離れる方向に前記石座が移動することを規制可能に設けられていることを特徴とする請求項１に記載の装身具。
【請求項３】
前記保持部の隙間側に位置する対向領域は、前記石座の一部が当接することで、前記本体部から前記装飾体が離れる方向に前記石座が移動することを規制可能に設けられていることを特徴とする請求項１又は請求項２に記載の装身具。
【請求項４】
前記石座は、前記本体部側に突出して当該本体部又は前記連結芯に点接触する突出部と、円柱面状又は円錐面状の内周面を有する連結環と、を備え、
前記軸状部は、円柱状に形成されて前記連結環に挿入され、且つ、当該連結環の内周に点接触し、
前記石座は、前記点接触した２箇所位置を支点に振り子状に揺れることを特徴とする請求項１ないし請求項３のいずれかに記載の装身具。
【発明の詳細な説明】
【技術分野】
【０００１】
本発明は、ペンダントなどの装身具に関し、特に、宝石などの装飾体を固定する石座が台座に吊り下げられた装身具に関する。
【背景技術】
【０００２】
従来より、宝石などの装飾体を吊り下げるように支持させた装身具が知られている（例えば、特許文献１参照）。特許文献１に記載の装身具は、宝石が装着される石座と、石座を吊り下げるように支持する台座とを備えている。台座の前側には、吊下孔部が形成されている。一方、石座には輪環が形成され、この輪環を台座の吊下孔部に挿通することで、台座の前方に石座が吊り下げられる。
【０００３】
吊下孔部に輪環を挿通する工程は、以下のように行われる。先ず、輪環の一部を切断し、その切断位置に隙間が空くように輪環を変形する。その後、輪環に形成した隙間に吊下孔部を通してから、隙間を塞ぐように輪環を再度変形する。そして、ロー付け等の技法によって輪環の切断位置を接続し、隙間をなくすことで、吊下孔部へ輪環を挿通する連結作業が完了する。
【先行技術文献】
【特許文献】
【０００４】
【特許文献１】特開２００５−２０５２３０号公報
【発明の概要】
【発明が解決しようとする課題】
【０００５】
しかしながら、上述した工程は、極めて小さい輪環に対して行うものであり、その処理が複雑となる。このため、輪環が真円に対して歪んだ形状になったり、輪環の穴径にばらつきが生じ易くなり、仕上げ精度や加工精度が低下するという問題がある。この結果、装身具を量産しても、吊り下げられた石座の揺れが装身具毎に異なってしまい、品質低下の原因になる、という問題がある。しかも、装身具にあっては、ポスター等の広告掲示を行う場合が多く、この場合の拡大写真において、輪環の仕上げ精度が低いために美観が損なわれる、という問題がある。
【０００６】
また、上述した工程で、連結作業完了後に、輪環の歪みや穴径の違い等の不具合に気付いても、輪環が極めて細くて小さいので、不具合を調整すべく輪環を再切断して変形処理することが現実的には困難になる。しかも、仕上げ精度を高めるためには、作業者に対して多くの経験や高い熟練度が必要となり、作業工賃の上昇、生産性の低下を引き起こすという問題がある。
【０００７】
更に、特許文献１の構造においては、台座に形成されたチェーン用の挿通部側に前方向の力が加わると、台座の下部を支点に前転びし、台座に対して石座が折れ曲がったような状態となる。この状態では、台座が元の位置に復帰せずに、台座と、宝石（又は石座）との２点で装身具が被装着者に接触した状態となる。すると、装身具が倒れた状態で安定し、宝石が正面側から外れたままとなって揺れる機能が損なわれる、という問題がある。
【０００８】
また、特許文献１の構造では、吊下孔部及び輪環が両方ともリング状を呈し、かかる吊下孔部に輪環を挿通している一点接触のため、石座が静止したとき正面を向かずに左右方向に傾いて止まり易くなり、装飾体を観察する者に対し、変形した印象を持たれ易くなって優雅な印象を与えられなくなる、という問題がある。
【０００９】
本発明はかかる点に鑑みてなされたものであり、揺れる機能性と仕上げ精度とを向上することができる装身具を提供することを目的とする。
【００１０】
また、本発明は、被装着者が装着したときに、装飾体の向きを正面側に復元し易くすることができる装身具を提供することを目的とする。
【００１１】
更に、本発明は、装飾体の正面性を高め、石座の緩やかな揺れによって優雅な印象を与えることができる装身具を提供することを目的とする。
【課題を解決するための手段】
【００１２】
本発明の装身具は、装飾体を固定する石座と、この石座を揺動可能に吊り下げる軸状部を有する連結芯と、この連結芯を保持する台座と、を備えた装身具であって、前記台座は、本体部と、この本体部に連なって本体部との間に隙間を形成する保持部と、を備え、これら保持部及び本体部には、前記連結芯を受容する受容部がそれぞれ形成され、前記軸状部の軸線方向は直線方向に延在し、前記各受容部に対し、前記軸状部の軸線方向に前記連結芯をそれぞれ挿入することで、当該連結芯が保持されることを特徴とする。
【００１３】
この構成によれば、各受容部に連結芯を挿入することで、当該連結芯が台座に保持されて石座を吊り下げることができるので、従来構造のような輪環を切断したり変形したりする工程をなくすことができ、仕上げ精度や加工精度を向上することができる。これにより、量産した装身具において、吊り下げられた石座の動きや向きを一定にして品質の安定化を図ることができる。しかも、石座を加工せずに吊り下げ可能となるので、装身具の拡大写真で石座の美観が損なわれることを防止することができる。また、台座と連結芯との組み立てにおいて、受容部に連結芯を挿抜するだけで、連結芯を簡単に着脱することができ、連結芯を固定する前に試験的な組み立てを複数回行うことが可能となる。この試験的な組み立てで、吊り下げた状態の石座の向きや位置等を容易に微調整することができ、高度な技術者に頼らず、高品質、高機能の製品を低工賃で量産することが可能となる。
【００１４】
本発明の装身具において、前記石座は、円筒面状又は円錐面状の内周面を有する連結環を備え、前記軸状部は、前記連結環を貫通するとともに、前記連結環の内周に線接触することで、前記本体部から前記装飾体が離れる方向に前記石座が移動することを規制可能に設けられていることが好ましい。この構成によれば、例えば、被装着者の動きによって台座の向きが変わったときに、台座に対して石座が折れ曲がった向きになることを規制することができる。これにより、石座や装飾体が被装着者に接触することを抑制して、被装着者に対する装身具の接点を台座の１箇所に保ち易くなり、装飾体が正面を向くように台座及び石座の向きを復元し易くすることができる。
【００１５】
本発明の装身具において、前記保持部の隙間側に位置する対向領域は、前記石座の一部が当接することで、前記本体部から前記装飾体が離れる方向に前記石座が移動することを規制可能に設けられていることが好ましい。この構成においては、上述のように連結芯周りの加工精度向上を図ることができるので、高度な技術を要することなく対向領域と石座とを接近させることができる。これにより、本体部から石座が離れる変位が小さくても、それらの変位を規制でき、装飾体が正面となるよう台座及び石座の向きをより一層復元し易くすることができる。
【００１６】
本発明の装身具において、前記石座は、前記本体部側に突出して当該本体部又は前記連結芯に点接触する突出部と、円柱面状又は円錐面状の内周面を有する連結環と、を備え、前記軸状部は、円柱状に形成されて前記連結環に挿入され、且つ、当該連結環の内周に点接触し、前記石座は、前記点接触した２箇所位置を支点に振り子状に揺れることが好ましい。この構成によれば、石座が振り子状に揺れる際、点接触となる２箇所の支点において、各支点を結ぶ回転軸周りに回動するよう石座を揺れ動かすことができる。これにより、回転軸を垂直に近づける方向に使用角度を変えることで、石座における振り子状の揺れの速度を緩やかにして優雅な印象を与えることができる。しかも、振り子状の揺れの支点を２点としたので、各支点の並び方向へ石座が揺れることを規制することができる。従って、例えば、各支点を結ぶ回転軸の向きを前後方向とした場合、当該前後方向に石座が揺れることを規制でき、石座の揺れる方向を左右方向に安定して保つことができる。また、石座が静止したとき左右方向に傾かずに正面を向いて止まることとなり、装飾体を観察する者に対し、変形した印象を持たれずに優雅な印象を与えることができる。
【発明の効果】
【００１７】
本発明によれば、揺れる機能性と仕上げ精度とを向上することができる装身具を提供することが可能となる。
【図面の簡単な説明】
【００１８】
【図１】実施の形態１に係るペンダントの構成を示す図である。
【図２】実施の形態１に係る石座の構成を説明するための図である。
【図３】実施の形態１に係るペンダントの使用状態を示す概略縦断面図である。
【図４】実施の形態１に係るペンダントの動きを説明するための正面図である。
【図５】実施の形態２に係るペンダントの構成を示す図である。
【図６】実施の形態２に係る石座の構成を説明するための図である。
【図７】実施の形態２に係るペンダントの使用状態を示す概略縦断面図である。
【図８】変形例に係るペンダントの構成を示す図である。
【図９】変形例に係る連結芯の構成を説明するための図である。
【発明を実施するための形態】
【００１９】
本発明の実施の形態について添付図面を参照して詳細に説明する。なお、以下の実施の形態では装身具の一例としてペンダントを示しているが、本発明の適用対象となる装身具はペンダントに限定されるものではない。また、以下の説明において、上、下、左、右、前、後の方向は、ペンダントが被装着者に装着された使用状態における方向を示すものとする。
【００２０】
（実施の形態１）
図１は、本実施の形態に係るペンダント（装身具）の構成を示す図である。図１Ａは、ペンダントの正面図であり、図１Ｂは、ペンダントの左側面図である。なお、本実施の形態の説明に用いる各図において、ペンダントの左右をそれぞれ矢印Ｌ，Ｒで示し、ペンダントの前方を矢印Ｆｒ、ペンダントの後方を矢印Ｒｅで示す。
【００２１】
図１に示すように、本実施の形態に係るペンダント（装身具）１は、金、銀、プラチナ、真鍮などの金属で形成された台座２を備えている。台座２の下側領域において、台座２と同様の素材で形成された石座３が吊り下げられている。石座３には、ダイヤモンド、エメラルド、ルビーなどの宝石（装飾体）４が固定される。
【００２２】
台座２は、正面視で、左右方向より、上下方向に長いしずく型に形成された本体部２０を含む。本体部２０の上端部には、ネックレス用チェーン（不図示）が挿通される挿通穴２１が設けられている。挿通穴２１に挿通されるネックレス用チェーンを被装着者の首に掛けることで、ペンダント１は被装着者に装着される。本体部２０の後面２０ａは、略平坦に形成され、ペンダント１が被装着者に装着された使用状態において、被装着者と接触される。これにより、ペンダント１は、使用状態において被装着者の胸部上方の位置に保持される。
【００２３】
台座２の上半部領域は、挿通穴２１より前方に膨出する形状を有している。台座２は、本体部２０における挿通穴２１より前方位置から垂れ下がる形状に設けられた保持部２２を含む。保持部２２は、本体部２０に連なって本体部２０の前面２０ｂとの間に隙間Ｓを形成している。言い換えると、保持部２２は、本体部２０の前面２０ｂより前方に、隙間Ｓを介して位置している。保持部２２は、石座３を吊り下げるための連結芯５を保持している。
【００２４】
図２は、石座３の構成を説明するための図である。図２Ａは、石座３の正面図であり、図２Ｂは、石座３の平面図であり、図２Ｃは、石座３の左側面図である。図２に示すように、石座３は、宝石４の形状に対応する嵌合穴が形成された環状部３１を含む。環状部３１の外周には、４個の把持部３２ａ，３２ｂ，３２ｃ，３２ｄが設けられている。把持部３２ａ〜３２ｄは、環状部３１の前方及び後方に突出されており、環状部３１の内側に嵌合される宝石４の前後を把持して固定する。環状部３１には、その上端から上方に突出する連結環３３が連なって設けられている。この連結環３３は、前後方向に開口しており、その内部に前記連結芯５が貫通している（図３参照）。
【００２５】
宝石４は、クラウン部４１とパビリオン部４２とを含む。宝石４は、パビリオン部４２が環状部３１の内側に挿入され、クラウン部４１が把持部３２ａ〜３２ｄにより把持されることで、石座３に固定される。なお、パビリオン部４２の尖端（後端）にはキューレット４３が形成される。
【００２６】
次に、本実施の形態において、仕上げ精度の向上等を図るための特徴部分（以下、「特徴部分Ａ」と称する）について説明する。
【００２７】
台座２と石座３との連結部分に設けられる連結芯５は、円柱状に外周面が形成された軸状部５１からなり、軸状部５１の軸線方向は、前後方向に直線状に延在している。
【００２８】
保持部２２には、軸状部５１の前端側が受容される第１受容部２３が形成されている。また、本体部２０には、軸状部５１の後端側が受容される第２受容部２４が形成され、これら受容部２３，２４に跨って軸状部５１が配設される。各受容部２３，２４は、円柱に沿う内周面に形成された貫通穴とされ、前後方向に延びる同一軸線上に形成されている。また、各受容部２３，２４の内径寸法は、軸状部５１の外径寸法と同一又は若干大きい寸法に設定される。これにより、各受容部２３，２４に対し、軸状部５１の軸線方向（前後方向）に軸状部５１を挿入したり抜き出したりする操作を行えるようになる。
【００２９】
次いで、台座２と石座３とを連結する作業について説明する。先ず、台座２の隙間Ｓ内に石座３の連結環３３を配置し、当該連結環３３を第１及び第２受容部２３，２４と同一軸線上に位置させる。その後、保持部２２の前面側から、軸状部５１を第１受容部２３、連結環３３、第２受容部２４の順に挿入する。これにより、軸状部５１が各受容部２３，２４に受容されるものの固定されずに保持され、軸状部５１を介して石座３が台座２に試験的に組み立てられた状態となる。なお、軸状部５１は、本体部２０の後面２０ａから挿入してもよく、この場合、軸状部５１が挿入される部材の順序が上述した順序と逆になる。
【００３０】
上述の試験的に組み立てられた状態において、連結環３３と保持部２２とのクリアランスや、連結環３３の形状等を調整したい場合には、連結環３３及び各受容部２３，２４から軸状部５１を抜き出し、台座２と石座３とを分解させる。そして、台座２から石座３を別体として離れた状態とし、連結環３３の形状変更等の調整作業を行う。かかる調整作業が完了した後、上述と同様にして、連結環３３及び各受容部２３，２４に軸状部５１を再度挿入する。次いで、軸状部５１の両端を各受容部２３，２４周りの領域に対して溶接やロー付け等で止めることで軸状部５１が台座２に固定されて保持される。その後、軸状部５１の両端側となる本体部２０の後面２０ａ及び保持部２２の前面を研磨し、それらの境界位置が視認できないように仕上げられる。
【００３１】
上記特徴部分Ａによれば、以下に述べる作用、効果を奏することができる。
【００３２】
第１及び第２受容部２３，２４が同一軸線上に形成され、軸状部５１が直線方向に延びる形状となるので、各受容部２３，２４に軸状部５１を挿抜する方向を直線方向にすることができる。これにより、台座２に軸状部５１を簡単且つ短時間で着脱でき、上述の試験的な組み立てが複数回に亘って行われても、これに容易に対応することが可能となる。その結果、多くの経験や高い熟練度を要せずに、石座３の向きや位置、後述する揺れ等について精度良く微調整することができ、高い品質を安定して保ちながら、生産効率の上昇や製造コストの低減化を図ることができる。
【００３３】
また、従来構造では石座の輪環に対して切断や変形加工を行っていたのに対し、本実施の形態では、そのような加工を連結環３３に行わなくてよくなる。これにより、連結環３３が歪むことを回避できる他、量産したペンダント１において、連結環３３の内径寸法や後述する石座３の揺動にばらつきが生じることを防止でき、仕上げ精度や加工精度を高いレベルに維持することができる。しかも、連結環３３の正面形状を一定に維持でき、ペンダント１を撮影して拡大写真としても、連結環３３周りの美観が損なわれることを防止することができる。更に、台座２に軸状部５１を固定するために溶接やロー付け等する領域は、台座２の前面及び後面となって工具等で加工し易い領域となり、研磨仕上げ等の作業性を良好として仕上げ精度の向上を図ることができる。
【００３４】
次に、本実施の形態において、石座３を左右に振り子状に揺動するための特徴部分（以下、「特徴部分Ｂ」と称する）について説明する。図３は、ペンダント１の使用状態を示す概略縦断面図である。
【００３５】
石座３は、連結環３３の後面側における上部領域から後方となる本体部２０側に突出する突出部３４を有している。突出部３４は、その先端に窪み部３５を備え、この窪み部３５は、平面視で、左右方向中央部が前方に若干凹む形状に形成されている（図２Ｂ参照）。また、窪み部３５は、上方に向かうに従って次第に細くなる形状に形成されている（図３等参照）。
【００３６】
一方、図２Ｂに示すように、本体部２０は、前方に位置する突出部３４に向かって隆起する隆起部２０ｃを備えている。隆起部２０ｃは、その頂部が隆起した形状に形成され、図３に示すように、第２受容部２４より上方に向かって尾根状に延びている。隆起部２０ｃの頂部は、突出部３４の先端の窪み部３５に接点Ｐ１で点接触した状態で受容される。
【００３７】
上述したように、連結芯５は、軸線方向が直線状に延びる円柱状の軸状部５１からなる。一方、連結環３３は、円柱面に沿う内周面に形成され、軸状部５１の外径寸法より大きい内径寸法に設定されている。従って、連結環３３の内部に軸状部５１を挿通した状態で、それらの軸線が相互に傾いた状態になると、連結環３３の前部内周縁と軸状部５１の上端とが接点Ｐ２で点接触することとなる。従って、石座３は、使用状態において接点Ｐ１及び接点Ｐ２の２点を支点として台座２に吊り下げられて支持される。
【００３８】
次に、ペンダント１の動きを説明する。図４は、ペンダント１の動きを説明するための図である。図４Ａ及び図４Ｂは、それぞれ、ペンダント１の動きを模式的に示している。
【００３９】
使用状態のペンダント１に所定の力が加わると、図３に示すように、石座３には、接点Ｐ１及び接点Ｐ２を結ぶ回転軸Ｃの周りの回転力が発生し、当該回転軸Ｃを中心位置として石座３が回転する方向に移動される。ここで、例えば、石座３に対して右向き（矢印Ｒで示す向き、図４Ａ参照）の力が与えられるとする。石座３は接点Ｐ１及び接点Ｐ２の２点を支点として台座２に支持されるので、与えられた力は回転軸Ｃを中心とする回転力Ｆ１となる。従って、石座３は、回転軸Ｃの周りにおいて回転力Ｆ１の向きに回転され、宝石４のクラウン部４１の下部が右方向（矢印Ｒで示す向き）に傾いた状態に揺れ動く。
【００４０】
その後、石座３が回転軸Ｃ周りの可動範囲内で回転されると、石座３には、クラウン部４１の傾きを戻すような復元力が加わり、回転力Ｆ１とは逆向きの回転力Ｆ２（図４Ｂ参照）が発生する。その結果、石座３は、回転軸Ｃの周りにおいて回転力Ｆ２の向きに回転される。これにより、宝石４のクラウン部４１の下部が左方向（矢印Ｌで示す向き）に傾いた状態に揺れ動く。このような動きを繰り返すことで、石座３は、回転軸Ｃの周りにおいて、クラウン部４１が左右に往復するよう、振り子状に揺れることとなる。
【００４１】
上記特徴部分Ｂによれば、以下に述べる作用、効果を奏することができる。
【００４２】
図４のペンダント１の動きでは、点接触する上述の２箇所の接点Ｐ１及び接点Ｐ２を支点として回動軸Ｃの周りで振り子状に石座３が揺れるので、振り子状に揺れている間に、接点Ｐ１及び接点Ｐ２において揺れに対する抗力が作用することを抑制できる。これにより、石座３の振り子状の揺れが急に止まったり揺れ幅が急に小さくなることを防止でき、緩やか且つ自然に減衰するよう石座３及び宝石４を揺れ動かし、観察する者に対して優雅な印象を与えることができる。しかも、回動軸Ｃを２箇所の支点として前後方向に向けたので、石座３が前後に揺れることを規制でき、左右方向に安定して揺動させることができる。また、石座３が静止したときに正面を向いて左右に傾くことを防止でき、ペンダント１が変形した印象を与えることなく、優雅な印象を与えることができる。なお、回転軸Ｃの向きは、ペンダント１の使用角度を変更して垂直方向（上下方向）に近い状態に向けるに従い、石座３の揺れの速度を緩やかにして優雅な印象を与えることができる。
【００４３】
次いで、本実施の形態において、石座３が前上がりすることを規制する構造の特徴部分（以下、「特徴部分Ｃ」と称する）について説明する。
【００４４】
かかる構造は、上述したように、軸線方向が直線状に延びる軸状部５１によって連結芯５が形成され、連結環３３が円柱面に沿う内周面に形成されて軸状部５１に貫通されることにより構成される。この構成では、図１Ｂに示すように、軸状部５１及び連結環３３の各軸線が平行となるときに、連結環３３の内周面と軸状部５１の外周面とが線接触する。この線接触した状態において、石座３の下部が前上がり（図１Ｂ中時計回り）に回動することを規制し、本体部２０から宝石４が離れる方向へ石座３が移動することを規制できる。
【００４５】
また、特徴部分Ｃとしては、保持部２２の隙間Ｓ側（後側）に位置する対向領域２２ａが、連結環３３における前面の近傍に配設される構成を含むようにしてもよい。更に、特徴部分Ｃは、隙間Ｓの上方において隆起部２０ｃの上部から前方に延びる規制端部２ａが、連結環３３の上方近傍に配設される構成を含むようにしてもよい。これらの構成では、図１Ｂに示す状態から、石座３の下部が前上がり（図１Ｂ中時計回り）に回動すると、石座３の一部となる連結環３３の前面が対向領域２２ａに当接したり、連結環３３の上端前側が規制端部２ａに当接したりし、石座３の回動を規制する。この状態において、本体部２０から宝石４が離れる方向へ石座３が移動することを規制することができる。ここで、本実施の形態では、連結環３３を加工せずに石座３を吊り下げできるので、対向領域２２ａと連結環３３の前面とを容易に接近させることができ、本体部２０から宝石４が離れる移動量を小さく設定することが可能となる。
【００４６】
上記特徴部分Ｃによれば、以下に述べる作用、効果を奏することができる。
【００４７】
図１Ｂに示す状態から石座３が前上がりすることを規制できるので、側面視で台座２と石座３との相対的な向きが大きく変化して折れ曲がるようになったり、宝石４のクラウン部４１が上向きとなったりすることを防止できる。これにより、ペンダント１全体を左右方向に倒れ難くして、石座３や宝石４が被装着者に接触することを抑制することができ、被装着者に対するペンダント１の接触箇所を本体部２０の後面２０ａだけに保ち易くなる。その結果、宝石４が正面（前面）を向くように台座２及び石座３の向きを安定して維持することができ、宝石４の装飾効果を良好に発揮させることが可能となる。しかも、仮に、ペンダント１全体が横向きに倒れても、台座２が正面を向きつつ石座３だけが倒れたままの状態になることを抑制できる。つまり、台座２及び石座３を一体として正面向きに復元し易くすることができ、宝石４による装飾効果を良好に得ることが可能となる。なお、本実施の形態では、かかる石座３の前上がりを規制する作用と、上述のように石座３を揺動させる作用とを同時に奏することから、装飾効果を相乗的に向上させることが可能となる。
【００４８】
ここで、本実施の形態にあっては、軸状部５１が円柱面に沿う内周面に形成された連結環３３を貫通しているので、上下方向に延びる軸周りに石座３が回転したり揺動したりすることを規制できる。この規制によって、上述した石座３の左右方向への振り子状の揺動をより良く安定させることができる。
【００４９】
また、図３に示すように、窪み部３５が規制端部２ａに接触すると、石座３の下部が後方（図３中反時計回り）に回動することを規制し、宝石４が被装着者に近付く方向へ石座３が移動することを規制できる。この移動規制により、宝石４のキューレット４３が被装着者に接触することを回避可能となるので、台座２の前後幅が小さくなるよう台座２の設計の自由度を拡大することができ、ひいては、デザイン性を容易に高めることが可能となる。
【００５０】
本実施の形態の構成は、他の実施の形態において示す構成と適宜組み合わせて実施できる。
【００５１】
次いで、実施の形態１とは異なる実施の形態２及び変形例について説明する。なお、実施の形態２及び変形例のそれぞれにおいて、前述された実施の形態と共通する構成については、同一の符号を付し、その説明を省略する。
【００５２】
（実施の形態２）
図５〜図７は、実施の形態２に係るペンダント（装身具）の構成を示す図である。図５Ａは、本実施の形態に係るペンダント１の正面図であり、図５Ｂは、その左側面図である。図６Ａは、石座３の正面図であり、図６Ｂは、石座３の平面図であり、図６Ｃは、石座３の左側面図である。図７は、本実施の形態に係るペンダント１の使用状態を示す概略縦断面図である。
【００５３】
本実施の形態は、実施の形態１における特徴部分Ａは共通する構成となり、特徴部分Ｂ，Ｃは、異なる構成となる。先ず、本実施の形態について、石座３を左右に振り子状に揺動するための特徴部分（以下、「特徴部分Ｂ２」と称する）について説明する。
【００５４】
本実施の形態における突出部３４は、連結環３３の後面側における下部領域から後方となる本体部２０側に突出している。隆起部２０ｃは、第２受容部２４の前部から下部後方に向かって湾曲する尾根状に延びている。
【００５５】
なお、本実施の形態におけるペンダント１の動きについては、図７に示すように、回転軸Ｃの向きが前後方向に対して、前上がりに傾斜する方向になる点を除き、実施の形態１（図３参照）と同様となるので、説明を省略する。また、特徴部分Ｂ２の作用、効果についても、実施の形態１における特徴部分Ｂの作用、効果と同様となるので記載を省略する。
【００５６】
ここで、本実施の形態では、図７の使用状態で傾斜方向に延びる隆起部２０ｃの頂部に窪み部３５が接触するので、石座３の下部が後方（図７中反時計回り）に回動することを規制し、実施の形態１と同様に、宝石４が被装着者に近付く方向へ石座３が移動することを規制できる。
【００５７】
次に、本実施の形態において、石座３が前上がりすることを規制する構造の特徴部分（以下、「特徴部分Ｃ２」と称する）について説明する。
【００５８】
かかる構造は、保持部２２の隙間Ｓ側（後側）に位置する対向領域２２ａが、連結環３３における前面の近傍に配設されることによって構成される。この構成では、図７に示す状態から、石座３の下部が前上がり（図７中時計回り）に回動すると、石座３の一部となる連結環３３の前面が対向領域２２ａに当接し、石座３の回動を規制する。この状態において、本体部２０から宝石４が離れる方向へ石座３が移動することを規制することができる。
【００５９】
なお、特徴部分Ｃ２の作用、効果については、実施の形態１における特徴部分Ｃの作用、効果と同様となるので記載を省略する。
【００６０】
本実施の形態の構成は、他の実施の形態において示す構成と適宜組み合わせて実施できる。
【００６１】
なお、本発明は上記実施の形態に限定されず、種々変更して実施することができる。例えば、実施の形態２における連結芯５は、変形例となる図８及び図９に示す構成に代替することができる。図８は、変形例に係るペンダント１の左側面図である。図９Ａは、連結芯５の左側面図、図９Ｂは、連結芯５の正面図、図９Ｃは、連結芯５の底面図である。図８及び図９に示すように、連結芯５は、前端側が第１受容部２３に受容される軸状部５１と、この軸状部５１の後端に連なる被保持部５２とを有している。被保持部５２は、軸状部５１より大径となる円柱状の外周面に形成され、これに応じた内径寸法の第２受容部２４に受容されている。被保持部５２と軸状部５１との間には、前方に位置する突出部３４に向かって隆起する隆起部５３が形成されている。隆起部５３は、その頂部が尖った形状に形成され、第２受容部２４の前部から下部後方に向かって湾曲する尾根状に延びている。そして、隆起部５３の頂部は、突出部３４の先端に接点Ｐ１で点接触している。
【００６２】
このような構成によれば、接点Ｐ１の位置を調整する場合、連結芯５を台座２から別体として隆起部５３の加工等を行うことができ、作業性をより良く改善することができる。
【００６３】
また、上記各実施の形態と同様の作用、効果を得られる限りにおいて、連結環３３の内周面を円錐面に沿う形状や、丸線を環状にすることで内側に形成される曲面状に変えたり、軸状部５１を角柱状等にしたりしてもよい。なお、軸状部５１を角柱状とした場合には、軸状部５１の延出方向に延びる端縁を上向きとすることで接点Ｐ２が点接触となる。
【００６４】
更に、上記各実施の形態において、台座２と石座３とを組み立てるときに、台座２の前面及び後面からはみ出る長さの軸状部５１を挿入してから、そのはみ出た部分を切断することで軸状部５１を形成してもよい。
【００６５】
また、第１及び第２受容部２３，２４を貫通穴として形成したが、第１受容部２３の前部、又は、第２受容部２４の後部を塞ぐように形成された凹部に変えてもよい。この場合、第１及び第２受容部２３，２４に軸状部５１を挿入する方向が、前方及び後方の何れか一方向となるものの、軸状部５１における前後の何れか一端側を台座２に溶接等で固定する作業を省略できる点で有利となる。
【００６６】
更に、上記実施の形態２において、石座３が前上がりすることを規制するため、石座３に対して対向領域２２ａが当接する部分は、石座３の形状に応じて変更してもよく、環状部３１や把持部３２ａ〜３２ｄが対向領域２２ａに当接するようにしてもよい。
【００６７】
また、上記各実施の形態では、突出部３４が先端に窪み部３５を有する形状とした場合を説明したが、窪み部３５に変え、平面視で左右方向に直線的に延びる形状となる先端部としたり、平面視で左右方向中央部が後方に膨らむ膨出部を備えた先端形状にしたりしてもよい。
【００６８】
更に、隆起部２０ｃは、図示した尖った形状に限られず、突出部３４に点接触する限りにおいて、他の様々な隆起した形状に変更してもよい。
【００６９】
また、上記各実施の形態において、接点Ｐ１で点接触する構成は種々の変更が可能であり、例えば、突出部３４を先細形状に形成するとともに、本体部２０に正面側を開口する凹部を形成し、この凹部の底部に突出部３４の先端が点接触するようにしてもよい。
【００７０】
更に、上記各実施の形態における回転軸Ｃの向きは、台座２及び石座３のデザイン等に応じ、上述した向きとは異なるように前上がり方向や前下がり方向に傾斜する方向や、前後方向と平行な方向に設計変更してもよい。回転軸Ｃの向きは、垂直方向（上下方向）に近くなる程、石座３の揺れの速度を緩やかにして優雅な印象を与えることができる。
【００７１】
また、台座２の形状は、ドーナツ状や、逆しずく型にしたり、本体部２０の後面２０ａを曲面にする等、ペンダント１全体のデザインから様々に展開してもよい。更に、石座３の形状も、把持部３２ａ〜３２ｄの数を変えたり、キューレット４３を隠すように覆うようにする等、デザイン等に応じて種々の変更を行ってもよい。
【００７２】
また、上記実施の形態においては、装身具の例としてペンダントを例示しているが、本発明の適用対象はこれらに限られない。本発明は、指輪、イヤリング、ブレスレット、ブローチなどの各種装身具に適用可能である。
【００７３】
また、上記実施の形態において、添付図面に図示されている大きさや形状などについては、これに限定されず、本発明の効果を発揮する範囲内で適宜変更することが可能である。その他、本発明は、その目的とする範囲を逸脱しない限りにおいて適宜変更して実施することが可能である。
【産業上の利用可能性】
【００７４】
本発明は、ペンダントをはじめとする装身具に有用である。
【符号の説明】
【００７５】
１  ペンダント（装身具）
２  台座
２ａ  規制端部
３  石座
４  宝石（装飾体）
５  連結芯
２０  本体部
２２  保持部
２２ａ  対向領域
２３  第１受容部
２４  第２受容部
３３  連結環
３４  突出部
５１  軸状部
Ｓ  隙間
Ｐ１  接点
Ｐ２  接点
【図１】
2015119896.tif 000003
【図２】
2015119896.tif 000004
【図３】
2015119896.tif 000005
【図４】
2015119896.tif 000006
【図５】
2015119896.tif 000007
【図６】
2015119896.tif 000008
【図７】
2015119896.tif 000009
【図８】
2015119896.tif 000010
【図９】
2015119896.tif 000011
【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
装飾体を固定する石座と、この石座を揺動可能に吊り下げる軸状部を有する連結芯と、この連結芯を保持する台座と、を備えた装身具であって、
前記台座は、本体部と、この本体部に連なって本体部との間に隙間を形成する保持部と、を備え、これら保持部及び本体部には、前記連結芯を受容する受容部がそれぞれ形成され、
前記軸状部の軸線方向は直線方向に延在し、
前記各受容部に対し、前記軸状部の軸線方向に前記連結芯をそれぞれ挿入することで、当該連結芯が保持され、前記保持部が一方側、前記本体部が他方側に位置し、前記軸線方向が前記一方側から前記他方側に延在し、
前記石座は、円筒面状又は円錐面状の内周面を有する連結環を備え、前記軸状部の軸線周りに揺動し、
前記軸状部は、前記連結環を貫通するとともに、前記連結環の内周に線接触することで、前記本体部から前記装飾体が離れる方向に前記石座が移動することを規制可能に設けられていることを特徴とする装身具。
【請求項２】
装飾体を固定する石座と、この石座を揺動可能に吊り下げる軸状部を有する連結芯と、この連結芯を保持する台座と、を備えた装身具であって、
前記台座は、本体部と、この本体部に連なって本体部との間に隙間を形成する保持部と、を備え、これら保持部及び本体部には、前記連結芯を受容する受容部がそれぞれ形成され、
前記軸状部の軸線方向は直線方向に延在し、
前記各受容部に対し、前記軸状部の軸線方向に前記連結芯をそれぞれ挿入することで、当該連結芯が保持され、前記保持部が一方側、前記本体部が他方側に位置し、前記軸線方向が前記一方側から前記他方側に延在し、
前記石座は、前記本体部側に突出して当該本体部又は前記連結芯に点接触する突出部と、円柱面状又は円錐面状の内周面を有する連結環と、を備え、
前記軸状部は、円柱状に形成されて前記連結環に挿入され、且つ、当該連結環の内周に点接触し、
前記石座は、前記点接触した２箇所位置を支点に、当該２箇所位置を結ぶ軸周りに振り子状に揺れることを特徴とする装身具。
【請求項３】
前記保持部の隙間側に位置する対向領域は、前記石座の一部が当接することで、前記本体部から前記装飾体が離れる方向に前記石座が移動することを規制可能に設けられていることを特徴とする請求項１又は請求項２に記載の装身具。
【手続補正２】
【補正対象書類名】明細書
【補正対象項目名】００１２
【補正方法】変更
【補正の内容】
【００１２】
本発明の装身具は、装飾体を固定する石座と、この石座を揺動可能に吊り下げる軸状部を有する連結芯と、この連結芯を保持する台座と、を備えた装身具であって、前記台座は、本体部と、この本体部に連なって本体部との間に隙間を形成する保持部と、を備え、これら保持部及び本体部には、前記連結芯を受容する受容部がそれぞれ形成され、前記軸状部の軸線方向は直線方向に延在し、前記各受容部に対し、前記軸状部の軸線方向に前記連結芯をそれぞれ挿入することで、当該連結芯が保持され、前記保持部が一方側、前記本体部が他方側に位置し、前記軸線方向が前記一方側から前記他方側に延在し、前記石座は、円筒面状又は円錐面状の内周面を有する連結環を備え、前記軸状部の軸線周りに揺動し、前記軸状部は、前記連結環を貫通するとともに、前記連結環の内周に線接触することで、前記本体部から前記装飾体が離れる方向に前記石座が移動することを規制可能に設けられていることを特徴とする。
【手続補正３】
【補正対象書類名】明細書
【補正対象項目名】００１３
【補正方法】変更
【補正の内容】
【００１３】
この構成によれば、各受容部に連結芯を挿入することで、当該連結芯が台座に保持されて石座を吊り下げることができるので、従来構造のような輪環を切断したり変形したりする工程をなくすことができ、仕上げ精度や加工精度を向上することができる。これにより、量産した装身具において、吊り下げられた石座の動きや向きを一定にして品質の安定化を図ることができる。しかも、石座を加工せずに吊り下げ可能となるので、装身具の拡大写真で石座の美観が損なわれることを防止することができる。また、台座と連結芯との組み立てにおいて、受容部に連結芯を挿抜するだけで、連結芯を簡単に着脱することができ、連結芯を固定する前に試験的な組み立てを複数回行うことが可能となる。この試験的な組み立てで、吊り下げた状態の石座の向きや位置等を容易に微調整することができ、高度な技術者に頼らず、高品質、高機能の製品を低工賃で量産することが可能となる。更には、例えば、被装着者の動きによって台座の向きが変わったときに、台座に対して石座が折れ曲がった向きになることを規制することができる。これにより、石座や装飾体が被装着者に接触することを抑制して、被装着者に対する装身具の接点を台座の１箇所に保ち易くなり、装飾体が正面を向くように台座及び石座の向きを復元し易くすることができる。
【手続補正４】
【補正対象書類名】明細書
【補正対象項目名】００１４
【補正方法】変更
【補正の内容】
【００１４】
また、本発明の装身具は、装飾体を固定する石座と、この石座を揺動可能に吊り下げる軸状部を有する連結芯と、この連結芯を保持する台座と、を備えた装身具であって、前記台座は、本体部と、この本体部に連なって本体部との間に隙間を形成する保持部と、を備え、これら保持部及び本体部には、前記連結芯を受容する受容部がそれぞれ形成され、前記軸状部の軸線方向は直線方向に延在し、前記各受容部に対し、前記軸状部の軸線方向に前記連結芯をそれぞれ挿入することで、当該連結芯が保持され、前記保持部が一方側、前記本体部が他方側に位置し、前記軸線方向が前記一方側から前記他方側に延在し、前記石座は、前記本体部側に突出して当該本体部又は前記連結芯に点接触する突出部と、円柱面状又は円錐面状の内周面を有する連結環と、を備え、前記軸状部は、円柱状に形成されて前記連結環に挿入され、且つ、当該連結環の内周に点接触し、前記石座は、前記点接触した２箇所位置を支点に、当該２箇所位置を結ぶ軸周りに振り子状に揺れることを特徴とする。この構成によれば、各受容部に連結芯を挿入することで、当該連結芯が台座に保持されて石座を吊り下げることができるので、従来構造のような輪環を切断したり変形したりする工程をなくすことができ、仕上げ精度や加工精度を向上することができる。これにより、量産した装身具において、吊り下げられた石座の動きや向きを一定にして品質の安定化を図ることができる。しかも、石座を加工せずに吊り下げ可能となるので、装身具の拡大写真で石座の美観が損なわれることを防止することができる。また、台座と連結芯との組み立てにおいて、受容部に連結芯を挿抜するだけで、連結芯を簡単に着脱することができ、連結芯を固定する前に試験的な組み立てを複数回行うことが可能となる。この試験的な組み立てで、吊り下げた状態の石座の向きや位置等を容易に微調整することができ、高度な技術者に頼らず、高品質、高機能の製品を低工賃で量産することが可能となる。更には、石座が振り子状に揺れる際、点接触となる２箇所の支点において、各支点を結ぶ回転軸周りに回動するよう石座を揺れ動かすことができる。これにより、回転軸を垂直に近づける方向に使用角度を変えることで、石座における振り子状の揺れの速度を緩やかにして優雅な印象を与えることができる。しかも、振り子状の揺れの支点を２点としたので、各支点の並び方向へ石座が揺れることを規制することができる。従って、例えば、各支点を結ぶ回転軸の向きを前後方向とした場合、当該前後方向に石座が揺れることを規制でき、石座の揺れる方向を左右方向に安定して保つことができる。また、石座が静止したとき左右方向に傾かずに正面を向いて止まることとなり、装飾体を観察する者に対し、変形した印象を持たれずに優雅な印象を与えることができる。
【手続補正５】
【補正対象書類名】明細書
【補正対象項目名】００１６
【補正方法】削除
【補正の内容】